(57)【特許請求の範囲】
【請求項１】
価格変更ラベルを用いて商品の価格に関する変更情報を表示する価格変更システムであって、
前記価格変更ラベルにより、前記商品の前記価格に関する前記変更情報とともに、前記変更情報を表示している年月日を少なくとも含む日時情報を暗号化して表示可能とし、
前記変更情報および前記日時情報は、撮像機によりこれを撮像して認識可能とするとともに、
予め設定している設定日時情報と前記日時情報とを照らし合わせて、異なる日時のときに警告することを特徴とする価格変更システム。
【請求項２】
前記日時情報は、プリンターによりこれを印字して表示可能とすることを特徴とする請求項１記載の価格変更システム。
【請求項３】
前記変更情報および前記日時情報は、プリンターによりこれを印字して表示可能とすることを特徴とする請求項１記載の価格変更システム。
【請求項４】
前記変更情報は、
あらかじめ設定している設定変更情報と照らし合わせてこれを認識可能とすることを特徴とする請求項１ないし３のいずれかに記載の価格変更システム。
【発明の詳細な説明】
【技術分野】
【０００１】
本発明は価格変更ラベルおよび価格変更システムにかかるもので、とくに小売店などにおいて商品の価格を値下げ（価格変更）する際に使用する価格変更ラベルおよび価格変更システムに関するものである。
【背景技術】
【０００２】
従来から、小売店などにおいては、必要に応じて商品の値引きなどの価格変更を行っている。図６にもとづき概説する。
図６は、商品Ｍに価格ラベル１および従来の価格変更ラベル（値下げラベル２）を貼り付けた状態を示す平面図であって、価格ラベル１および値下げラベル２はそれぞれその裏面に粘着剤層３を有して、商品Ｍに貼り付けられている。
【０００３】
価格ラベル１は、必要な商品情報、たとえば顧客が視認可能に表示した価格４（元価格）と、商品Ｍおよび価格４に関連して機械的（光学的）に読み取り可能なバーコード５と、を印字して表示している。
【０００４】
値下げラベル２は、上記商品情報に関連してあらかじめ必要な値下げ情報（変更情報６）たとえば価格４からの値引き割合（たとえば「１０％引き」）を表示して、価格ラベル１とは別にこれを貼り付けている。
値下げラベル２の表示形態としては、図示のように、「￥３００引き」や「半額」など、必要に応じて種々の変更情報６を表示しておくことができる。
【０００５】
レジにおける商品Ｍの精算時には、バーコード５をバーコードリーダー（図示せず）などにより光学的に読み取るとともに、値下げラベル２の変更情報６を確認して必要な値引き処理を行うことになる。
【０００６】
しかしながら、顧客が店内において値下げラベル２を商品Ｍから故意にはがして、値引きを行っていない別の商品にこれを貼り付けて不正に値引き処理を受けようとする、いわゆる不正貼替え行為が行われているという問題がある。
もちろん、正規に購入した値引き商品から値下げラベル２をはがし、後日、この値下げラベル２を別の商品に貼り付けるという不正貼替え行為も行われている。
【０００７】
なお、商品Ｍの精算時に、バーコード５を光学的に読み取ることとは別に、値下げラベル２の情報をレジ係がレジスターに手作業でデータ入力する必要があり、読取りミスや入力ミスがあるという問題がある。
また、手作業による値引き処理を回避するために、値引き後の変更情報６を値引き用バーコードラベル（図示せず）により表示し、これを商品Ｍに貼り付けることも行われているが（特許文献１）、正規の価格４に関連するバーコード５の一部を隠して読み取り不能とする必要があり、値下げ表示作業に手間がかかるという問題がある。
【０００８】
この値引き用バーコードラベルあるいは値下げラベル２による価格変更のいずれにしても、一般の購買者にどのような値引き処理かを認識してもらうためには、目視による視認が可能な値下げラベル２による値引き表示が不可欠であり、値下げラベル２の貼替えによる不正行為をどのように防止するかが要請されている。
【先行技術文献】
【特許文献】
【０００９】
【特許文献１】特開２００６−２１５２３６号公報
【発明の概要】
【発明が解決しようとする課題】
【００１０】
本発明は以上のような諸問題にかんがみなされたもので、値下げラベルの不正貼替え行為を防止可能な価格変更ラベルおよび価格変更システムを提供することを課題とする。
【００１１】
また本発明は、一般に購買者には目につきやすい値下げラベルを不正に貼り替えようとする意図を極力思い止めさせることができるようにした価格変更ラベルおよび価格変更システムを提供することを課題とする。
【００１２】
また本発明は、当日分の値引き処理を別の日には実行させることがないようにした価格変更ラベルおよび価格変更システムを提供することを課題とする。
【課題を解決するための手段】
【００１３】
すなわち本発明は、商品の価格の変更情報（値引き情報）とともに、この変更情報を表示している年月日を少なくとも含む日時情報を表示することに着目したもので、第一の発明は、商品の価格に関する変更情報を表示する価格変更ラベルであって、上記商品に前記価格に関する上記変更情報とともに、上記変更情報を表示している年月日を少なくとも含む日時情報を暗号化して表示可能としていることを特徴とする価格変更ラベルである。
【００１４】
第二の発明は、価格変更ラベルを用いて商品の価格に関する変更情報を表示する価格変更システムであって、上記価格変更ラベルにより、上記商品に上記価格に関する上記変更情報とともに、上記変更情報を表示している年月日を少なくとも含む日時情報を暗号化して表示可能とし、上記変更情報および上記日時情報は、撮像機によりこれを撮像して認識可能とするとともに、予め設定している設定日時情報と上記日時情報とを照らし合わせ、異なる日時のときに警告することを特徴とする価格変更システムである。
【００１５】
上記日時情報は、文字、数字、図形あるいは記号によりこれを表示可能としていることができる。
【００１６】
上記日時情報は、当該価格変更ラベルの形状あるいは色により設定したラベルデザイン情報としてこれを表示可能としていることができる。
【００１７】
上記日時情報は、文字、数字、図形あるいは記号、さらには当該価格変更ラベルの形状あるいは色により設定したラベルデザイン情報の任意の組み合わせによりこれを表示可能としていることができる。
【００１８】
上記日時情報は、あらかじめ表示してある設定情報からこれを任意に選択可能としていることができる。
【００１９】
上記日時情報は、プリンターによりこれを印字して表示可能とすることができる。
【００２０】
上記変更情報および上記日時情報は、プリンターによりこれを印字して表示可能とすることができる。
【００２１】
上記変更情報は、あらかじめ設定している設定変更情報と照らし合わせてこれを認識可能とすることができる。
【００２２】
上記プリンターとしては、価格変更ラベルの連続体を装填して、必要な変更情報および日時情報を印字可能な任意のタイプのものを採用可能である。
【００２３】
上記撮像機としては、変更情報および日時情報を任意の方式で認識可能であればよく、たとえば電荷結合イメージセンサーを用いたＣＣＤカメラを用いることができる。
このＣＣＤカメラをレジスターに接続しておくことにより、レジにおける精算時に価格変更の処理を円滑に行うことができる。
【００２４】
上記日時情報には、価格変更の時間帯を示す時間帯情報を含むことができる。
【発明の効果】
【００２５】
本発明による価格変更ラベルおよび価格変更システムにおいては、商品の価格の変更情報（値引き情報）とともに、変更情報を表示している年月日を少なくとも含む日時情報を表示するようにしたので、変更情報を表示している価格変更ラベルを貼り替えようとする者は、その日時中にラベル貼替え行為を行わなければならず、貼替え行為の時間が制約されることになる。
しかも、日時情報自体を暗号化しておくことにより一般の顧客に視認しにくく表示しておけば、不正貼替え行為を発見することも可能となり、この点からも不正貼替え行為を抑制することができる。
【００２６】
とくに第一の発明の価格変更ラベルによれば、変更情報とともに日時情報を表示しているので、不正貼替え行為の抑制効果さらには防止効果を期待することができる。
【００２７】
とくに第二の発明の価格変更システムによれば、商品に貼り付けられている価格変更ラベルの変更情報および日時情報を撮像機によりこれを撮像して認識可能とすることにより、商品の価格を変更するようにしたので、日時情報に即した価格の変更処理を行うことができる。
【図面の簡単な説明】
【００２８】
【図１】本発明の実施例による価格変更ラベル１０を価格ラベル１（図６）とともに商品Ｍに貼り付けた状態を示す平面図である。
【図２】同、価格変更ラベル１０のラベルデザイン情報の例を示す説明図であって、図２（１）は、価格変更ラベル１０の形状として、三角形、四角形（正方形、長方形）、五角形、六角形、円形および楕円形を示し、図２（２）は、それぞれの形状に枠１６を設けた構成を示している。
【図３】同、価格変更システム２０における熱転写プリンター２１の概略側面図である。
【図４】同、熱転写プリンター２１により印字した価格変更ラベル１０の例を示す平面図であり、図４（１）は、価格変更ラベル１０Ｄを示し、図４（２）は、価格変更ラベル１０Ｅを示し、図４（３）は、価格変更ラベル１０Ｆを示している。
【図５】同、価格変更システム２０において、変更情報６および日時情報１１を光学的に読み取るための撮像機（電荷結合イメージセンサーを用いたＣＣＤカメラ２２）を説明する説明図である。
【図６】商品Ｍに価格ラベル１および従来の価格変更ラベル（値下げラベル２）を貼り付けた状態を示す平面図である。
【発明を実施するための形態】
【００２９】
本発明は、価格の変更情報とともに、日時情報もともに表示可能としたので、不正貼替え行為を抑制ないし防止可能な価格変更ラベルおよび価格変更システムを実現した。
【実施例】
【００３０】
つぎに本発明の実施例による価格変更ラベル１０および価格変更システムを図１ないし図５にもとづき説明する。ただし、図６と同様の部分には同一符号を付し、その詳述はこれを省略する。
図１は、価格変更ラベル１０を前記価格ラベル１（図６）とともに商品Ｍに貼り付けた状態を示す平面図であって、価格変更ラベル１０は、前記変更情報６とともに、日時情報１１（図示の例では、「平成２３年３月１１日」）を表示している。
【００３１】
日時情報１１としては、変更情報６を表示している年月日を少なくとも含むもので、必要であれば、価格変更が行われる時間帯情報（たとえば、何時何分から何時何分までなど）も表示することができる。
【００３２】
なお、価格変更ラベル１０には、変更情報６および日時情報１１とともに、当該商品Ｍの販売を行っている小売店の名称やマークなどを表示して、価格変更処理の当事者を明示しておくこともできる。
【００３３】
この価格変更ラベル１０にもとづく精算処理を行うレジにおけるレジスター１２は、制御部１３と、入力部１４と、表示部１５と、を有し、価格ラベル１における商品情報はもとより、価格変更ラベル１０における変更情報６および日時情報１１のデータ処理を可能としている。
【００３４】
日時情報１１は、文字、数字、図形あるいは記号、さらに、価格変更ラベル１０の形状あるいは色により設定したラベルデザイン情報としてこれを表示可能である。
もちろん、日時情報１１は、文字、数字、図形あるいは記号、さらには価格変更ラベル１０の形状あるいは色により設定したラベルデザイン情報の任意の組み合わせによりこれを表示可能である。
ただし、変更情報６とは異なって、日時情報１１自体は、これを暗号化ないしは符号化することにより、商品Ｍを購入する顧客にはこれを認識しにくくしてあることが望ましい。もちろん、日時情報１１を明示するか暗示するかについては、それぞれの小売店の実情に即していずれかを選択すればよい。
【００３５】
こうした構成の価格変更ラベル１０を商品Ｍに貼り付けておくことにより、レジにおけるレジ係は、値下げなどによる価格変更の処理を行う際に、たとえば明示されている日時情報１１を目視（あるいは後述する撮像機２２（図３、図５））により確認することによって、少なくとも当日の価格変更か否かを確認可能であって、不正貼替え行為を見いだすことが可能となるとともに、不正貼替え行為を考えている顧客も安易に不正を行おうとする意図が止められ、不正貼替え行為を抑制することにもつながる。
また、日時情報１１が暗号化あるいは符号化などにより暗示されている場合には、後述する撮像機２２（図３、図５）によりレジにおいてこれを認識することができる。
【００３６】
図２は、価格変更ラベル１０の上記ラベルデザイン情報の例を示す説明図であって、図２（１）は、価格変更ラベル１０の形状として、三角形、四角形（正方形、長方形）、五角形、六角形、円形および楕円形を示し、図２（２）は、それぞれの形状に枠１６を設けた構成を示している。
それぞれの形状を、たとえば一週間の月曜日、火曜日、水曜日、木曜日、金曜日、土曜日および日曜日に対応させ、たとえば三角形の価格変更ラベル１０は月曜日に行っている値下げであることを示すように取り決めることができる。
あるいは、価格変更ラベル１０の地色として、赤、橙、黄、緑、青、藍、紫のラベルデザイン情報を採用し、たとえば地色が赤であれば、価格変更ラベル１０は月曜日に行っている値下げであることを示すように取り決めることができる。
もちろん、これらの取決め（暗号化ないしは符号化）を任意に組み合わせるか、あるいは週あるいは月ごとに変えて実施することもできる。
【００３７】
また文字による日時情報１１の表示手法としては、たとえば文字Ａ、Ｂ、Ｃ、Ｄ、Ｅ、Ｆ、Ｇをそれぞれ月曜日、火曜日、水曜日、木曜日、金曜日、土曜日および日曜日に対応させるか、あるいは文字Ａ、Ｂ、Ｃ、Ｄ、Ｅ、Ｆ、Ｇ、Ｈ、Ｉ、Ｊをそれぞれ数字０、１、２、３、４、５、６、７、８、９に対応させるようにして、価格変更が行われる曜日あるいは日時などを表示可能とすることができる。
【００３８】
日時情報１１の表示に関する他の取決めとしては、たとえば、あらかじめ表示してある日時のうちから任意の日時を選択可能とすることもできる。
たとえば、日時を表す文字、数字、記号などを価格変更ラベル１０にあらかじめ印刷しておき、価格変更ラベル１０の発行時に対象日時以外を塗りつぶすようにすることができる。
【００３９】
このような価格変更ラベル１０を用いて商品Ｍの価格に関する変更情報６および日時情報１１を表示する価格変更システム２０としては、当該価格変更ラベル１０（図１）とともに、任意の方式のプリンター（たとえば熱転写プリンター２１、図３）と、撮像機（たとえば、電荷結合イメージセンサーを用いたＣＣＤカメラ２２、図５）と、このＣＣＤカメラ２２を組み込んだ前記レジスター１２（図１）と、を備えておくことができる。
すなわち、価格変更システム２０は、価格変更ラベル１０により商品Ｍに価格に関する変更情報６とともに、変更情報６を表示している年月日を少なくとも含む日時情報１１を表示可能とし、商品Ｍに貼り付けられている価格変更ラベル１０の日時情報１１を確認するとともに、変更情報６を読み取ることにより商品Ｍの価格を変更するものである。
【００４０】
図３は、価格変更システム２０における熱転写プリンター２１の概略側面図であって、熱転写プリンター２１は、価格変更ラベル１０の供給部２３と、印字部２４と、を有する。
価格変更ラベル１０は、ラベル材料からラベル片１０Ａをあらかじめ（たとえば円形に）型抜きし、帯状の台紙２５にその複数枚を仮着して価格変更ラベル連続体２６として供給部２３にこれをロール状に装填する。
【００４１】
印字部２４は、サーマルヘッド２７と、プラテンローラー２８と、熱転写インキリボン２９の供給軸３０および巻取り軸３１と、を有する。
サーマルヘッド２７およびプラテンローラー２８の間に熱転写インキリボン２９とともに価格変更ラベル連続体２６を挟持し、プラテンローラー２８の回転にともなって価格変更ラベル連続体２６を移送し、サーマルヘッド２７により価格変更ラベル連続体２６（ラベル片１０Ａ）に必要な変更情報６および日時情報１１を印字して価格変更ラベル１０を発行する。
【００４２】
もちろん、図示のように、ラベル片１０Ａとしてあらかじめ円形に型抜きすることなく、一般的な矩形状のラベル片１０Ｂの複数枚を台紙２５に仮着した価格変更ラベル連続体２６Ａとして準備し、これを熱転写プリンター２１に装填することもできる。
すなわち価格変更ラベル連続体２６Ａの場合には、ラベル片１０Ｂ上に変更情報６および日時情報１１のみならず、価格変更ラベル１０の輪郭３２（図示の例では円周部）を印字して価格変更ラベル１０Ｃとし、輪郭３２の内部に変更情報６および日時情報１１を印字することになる。
輪郭３２としては、円周部に代えて、図２に示したような、三角形、四角形（正方形、長方形）、五角形、六角形、円形および楕円形その他任意のデザインを選択して印字することができる。
【００４３】
なお、熱転写プリンター２１あるいは他の方式による任意のプリンターとして、黒白印字のみならず、カラー印字を行うことができるものを採用すれば、日時情報１１の表示手段として、文字、数字、図形あるいは記号はもちろん、価格変更ラベル１０の形状あるいは色により設定するラベルデザイン情報の選択肢が広がって、より幅広い応用機能を発揮することができる。
【００４４】
図４は、熱転写プリンター２１により印字した価格変更ラベル１０の例を示す平面図であって、図４（１）は、価格変更ラベル１０Ｄを示し、図４（２）は、価格変更ラベル１０Ｅを示し、図４（３）は、価格変更ラベル１０Ｆを示している。
価格変更ラベル１０Ｄは、地色をたとえば図中、上から緑、赤、黄に塗り分け、それぞれ上から日時情報１１および変更情報６に加えて、価格変更を行う時間に関する情報すなわち時間帯情報３３を印字表示している。
価格変更ラベル１０Ｅは、変更情報６および日時情報１１を印字表示しているが、とくに日時情報１１としては、文字Ａ、Ｂ、Ｃ、Ｄ、Ｅ、Ｆ、Ｇ、Ｈ、Ｉ、Ｊをそれぞれ数字０、１、２、３、４、５、６、７、８、９に対応させるようにして、「ＣＤＡＤＢＢ」（すなわち、「平成２３年３月１１日」）を表示している。
価格変更ラベル１０Ｆは、変更情報６および日時情報１１を表示しているとともに、前記枠１６を任意の色に着色して印字表示している。
【００４５】
図５は、価格変更システム２０において、変更情報６および日時情報１１を光学的に読み取るための撮像機（電荷結合イメージセンサーを用いたＣＣＤカメラ２２）を説明する説明図である。
すなわち、ＣＣＤカメラ２２は、これをレジスター１２に接続してある。
レジにおいてレジ係がＣＣＤカメラ２２により、価格変更ラベル１０における変更情報６および日時情報１１を撮像するとともに、制御部１３内にあらかじめ設定している設定変更情報および設定日時情報と照らし合わせて認識可能としている。
【００４６】
したがって、とくに価格変更ラベル１０における日時情報１１が価格変更を行う当日の設定日時情報とは異なる日時であれば、この価格変更ラベル１０が不正に貼り替えられたものであると考えられ、レジスター１２は、その表示部１５に日時情報１１の不一致を表示ないし警告し、不正貼替え行為を防止ないし抑制することができる。
しかも、ＣＣＤカメラ２２による光学的な認識が可能であるため、レジ係が目視で行う日時情報１１の確認が不要であるとともに、変更情報６にもとづく価格変更操作を自動的に行うことができる。
【００４７】
こうした構成の価格変更ラベル１０および価格変更システム２０によれば、変更情報６とともに日時情報１１を表示可能として、不正貼替え行為の抑制および防止効果を期待することができる。
【符号の説明】
【００４８】
１  価格ラベル
２  値下げラベル（従来、図６）
３  粘着剤層
４  価格
５  バーコード
６  変更情報（値下げ情報）
１０  価格変更ラベル（実施例、図１）
１０Ａ  価格変更ラベル１０の円形状のラベル片（図３）
１０Ｂ  価格変更ラベル１０Ｃの矩形状のラベル片（図３）
１０Ｃ  価格変更ラベル（図３）
１０Ｄ  価格変更ラベル（図４（１））
１０Ｅ  価格変更ラベル（図４（２））
１０Ｆ  価格変更ラベル（図４（３））
１１  日時情報
１２  レジスター
１３  制御部
１４  入力部
１５  表示部
１６  価格変更ラベル１０の枠
２０  価格変更システム（実施例、図３、図５）
２１  熱転写プリンター（プリンター、図３）
２２  ＣＣＤカメラ（撮像機、図５）
２３  供給部
２４  印字部
２５  帯状の台紙
２６  価格変更ラベル連続体（図３）
２６Ａ  価格変更ラベル連続体（図３）
２７  サーマルヘッド
２８  プラテンローラー
２９  熱転写インキリボン
３０  供給軸
３１  巻取り軸
３２  価格変更ラベル１０Ｃの輪郭
３３  時間帯情報（図４（１））
Ｍ    商品
【図１】
0005844060.tif 000002
【図２】
0005844060.tif 000003
【図３】
0005844060.tif 000004
【図４】
0005844060.tif 000005
【図５】
0005844060.tif 000006
【図６】
0005844060.tif 000007